(57)【要約】      （修正有）【課題】送信信号の増幅効率の改善を図る。【解決手段】少なくとも１つの送信入力端子ＩＮ１、１Ｎ２・・ＩＮｈと、少なくとも１つの送信入力端子から第１および第２送信信号が入力される少なくとも１つの電力増幅回路ＰＡ１・・ＰＡｉと、第１送信信号を通過させる第１フィルタ回路ＭＰＸ１と、第２送信信号を通過させる第２フィルタ回路ＭＰＸ２と、第１および第２フィルタ回路から出力される第１および第２送信信号を出力する少なくとも１つの送信出力端子ＡＮＴ１、ＡＮＴ２と、少なくとも１つの電力増幅回路から出力される第１および第２送信信号のそれぞれを、第１または第２フィルタ回路に出力する送信出力スイッチＳＷ２と、少なくとも１つの電力増幅回路と少なくとも１つの送信出力端子との間のインピーダンス整合を調整する第１チューニング回路ＴＮＧ１とを備える。【選択図】図１
2018196104.tif 000002
【特許請求の範囲】
【請求項１】
少なくとも１つの送信入力端子と、
前記少なくとも１つの送信入力端子から前記第１および第２送信信号が入力される少なくとも１つの電力増幅回路と、
前記第１送信信号を通過させる第１フィルタ回路と、
前記第２送信信号を通過させる第２フィルタ回路と、
前記第１および第２フィルタ回路から出力される前記第１および第２送信信号を出力する少なくとも１つの送信出力端子と、
前記少なくとも１つの電力増幅回路から出力される前記第１および第２送信信号のそれぞれを、前記第１または第２フィルタ回路に出力する送信出力スイッチと、
前記少なくとも１つの電力増幅回路と前記少なくとも１つの送信出力端子との間のインピーダンス整合を調整する第１チューニング回路と
を備える、マルチバンド対応電力増幅モジュール。
【請求項２】
前記少なくとも１つの送信入力端子から入力される前記第１および第２送信信号のそれぞれを、前記少なくとも１つの電力増幅回路の１つに出力する送信入力スイッチをさらに備える、
請求項１に記載のマルチバンド対応電力増幅モジュール。
【請求項３】
前記少なくとも１つの電力増幅回路は、前記第１および第２送信信号の両方を増幅可能な第１電力増幅回路を有し、
前記送信出力スイッチは、前記第１電力増幅回路から前記第１フィルタ回路に前記第１送信信号を出力するための第１経路と、前記第１電力増幅回路から前記第２フィルタ回路に前記第２送信信号を出力するための第２経路とを同時に選択する、
請求項１または２に記載のマルチバンド対応電力増幅モジュール。
【請求項４】
前記第１チューニング回路は、前記送信出力スイッチが前記第１経路のみを選択した場合と、前記送信出力スイッチが前記第１および第２経路の両方を選択した場合と、のそれぞれにおけるインピーダンスの整合状態の変化に基づいて、前記インピーダンスを調整する、
請求項３に記載のマルチバンド対応電力増幅モジュール。
【請求項５】
前記第１チューニング回路は、前記送信出力スイッチと前記第１および第２フィルタ回路との間に接続される、
請求項１から４のいずれか１項に記載のマルチバンド対応電力増幅モジュール。
【請求項６】
第１および第２送信信号が入力される少なくとも１つの送信入力端子と、
前記少なくとも１つの送信入力端子から前記第１および第２送信信号が入力される少なくとも１つの電力増幅回路と、
前記第１送信信号を通過させる第１フィルタ回路と、
前記第２送信信号を通過させる第２フィルタ回路と、
前記第１および第２フィルタ回路から出力される前記第１および第２送信信号を出力する少なくとも１つの送信出力端子と、
前記少なくとも１つの送信入力端子から入力される前記第１および第２送信信号のそれぞれを、前記少なくとも１つの電力増幅回路の１つに出力する送信入力スイッチと、
前記少なくとも１つの電力増幅回路と前記少なくとも１つの送信出力端子との間のインピーダンス整合を調整する第１チューニング回路と、
を備える、マルチバンド対応電力増幅モジュール。
【請求項７】
前記第１チューニング回路は、前記少なくとも１つの電力増幅回路における前記第１および第２送信信号の少なくとも一方の出力レベルに応じて、インピーダンスの整合状態を調整する、
請求項１から６のいずれか１項に記載のマルチバンド対応電力増幅モジュール。
【請求項８】
前記第１および第２送信信号は、同じ周波数帯域に含まれる、
請求項１から７のいずれか１項に記載のマルチバンド対応電力増幅モジュール。
【請求項９】
前記第１および第２送信信号は、互いに異なる周波数帯域に含まれる、
請求項１から８のいずれか１項に記載のマルチバンド対応電力増幅モジュール。
【請求項１０】
前記第１および第２フィルタ回路と前記少なくとも１つの送信出力端子との間の経路を切り替えるアンテナスイッチをさらに備える、
請求項１から９のいずれか１項に記載のマルチバンド対応電力増幅モジュール。
【請求項１１】
少なくとも１つの低ノイズ増幅回路と、
前記第１フィルタ回路から出力される第１受信信号および前記第２フィルタ回路から出力される第２受信信号のそれぞれを、前記少なくとも１つの低ノイズ増幅回路の１つに出力する受信入力スイッチと、
前記第１および第２フィルタ回路と前記少なくとも１つの低ノイズ増幅回路との間のインピーダンス整合を調整する第２チューニング回路と
をさらに備える、
請求項１から１０のいずれか１項に記載のマルチバンド対応電力増幅モジュール。
【請求項１２】
前記第２チューニング回路は、前記受信入力スイッチと前記少なくとも１つの低ノイズ増幅回路との間に接続される、
請求項１１に記載のマルチバンド対応電力増幅モジュール。
【発明の詳細な説明】
【技術分野】
【０００１】
本発明は、マルチバンド対応電力増幅モジュールに関する。
【背景技術】
【０００２】
携帯電話などの移動通信端末の高密度実装を背景として、アンテナスイッチ、入力スイッチ、出力スイッチ、デュプレクサ、電力増幅回路、低ノイズ増幅回路、および整合回路などの各種部品を共用とすることで、部品点数の削減が検討されている。
【０００３】
例えば、特許文献１には、Ｍ個の入力とＮ個の出力を有し、Ｍ個の入力の少なくとも２つ以上のそれぞれが経路を分けるスイッチにつながっており、複数のフィルタ回路と、１つの電力増幅回路とを備える電力増幅モジュールが開示されている。
【０００４】
一方で、近年において移動通信端末が扱う通信トラフィックの増加に伴い、複数の周波数帯域（バンド）を同時に使用するキャリアアグリゲーション（ＣＡ）と呼ばれる通信技術の開発が進められている。ＣＡを利用することで、移動通信端末の通信速度や通信品質を向上させることができる。
【先行技術文献】
【特許文献】
【０００５】
【特許文献１】米国特許出願公開第２０１６／０１１９０１５号明細書
【発明の概要】
【発明が解決しようとする課題】
【０００６】
しかしながら、特許文献１に記載の電力増幅モジュールにおいては、ＣＡに対応するための構成についての記述はない。例えば、ＣＡに対応する構成では、電力増幅回路の出力端子が、１つの経路に接続される場合と、２つの経路に接続される場合とが考えられる。このとき、電力増幅回路の出力インピーダンスと負荷インピーダンスの整合状態は、出力端子が１つの経路に接続される場合と２つの経路に接続される場合で変化する。このように、特許文献１に記載の電力増幅モジュールをＣＡに応用しようとすると、インピーダンスの整合性が低下し、電力増幅モジュールにおける送信信号の増幅効率が低下する恐れがある。
【０００７】
本発明はこのような事情に鑑みてなされたものであり、送信信号の増幅効率の改善を図ることができるマルチバンド対応電力増幅モジュールを提供することを目的とする。
【課題を解決するための手段】
【０００８】
本発明の一態様に係るマルチバンド対応電力増幅モジュールは、少なくとも１つの送信入力端子と、少なくとも１つの送信入力端子から第１および第２送信信号が入力される少なくとも１つの電力増幅回路と、第１送信信号を通過させる第１フィルタ回路と、第２送信信号を通過させる第２フィルタ回路と、第１および第２フィルタ回路から出力される第１および第２送信信号を出力する少なくとも１つの送信出力端子と、少なくとも１つの電力増幅回路から出力される第１および第２送信信号のそれぞれを、第１または第２フィルタ回路に出力する送信出力スイッチと、少なくとも１つの電力増幅回路と少なくとも１つの送信出力端子との間のインピーダンス整合を調整する第１チューニング回路とを備える。
【０００９】
本発明の他の一態様に係るマルチバンド対応電力増幅モジュールは、第１送信信号および第２送信信号が入力される少なくとも１つの送信入力端子と、少なくとも１つの送信入力端子から第１および第２送信信号が入力される少なくとも１つの電力増幅回路と、第１送信信号を通過させる第１フィルタ回路と、第２送信信号を通過させる第２フィルタ回路と、第１および第２フィルタ回路から出力される第１および第２送信信号を出力する少なくとも１つの送信出力端子と、少なくとも１つの送信入力端子から入力される第１および第２送信信号のそれぞれを、少なくとも１つの電力増幅回路の１つに出力する送信入力スイッチと、少なくとも１つの電力増幅回路と少なくとも１つの送信出力端子との間のインピーダンス整合を調整する第１チューニング回路とを備える。
【発明の効果】
【００１０】
本発明によれば、送信信号の増幅効率の改善を図ることができるマルチバンド対応電力増幅モジュールを提供することが可能となる。
【図面の簡単な説明】
【００１１】
【図１】第１実施形態に係るマルチバンド対応電力増幅モジュールの回路構成を概略的に示すブロック図である。
【図２】第２実施形態に係るマルチバンド対応電力増幅モジュールの回路構成を概略的に示すブロック図である。
【図３】第３実施形態に係るマルチバンド対応電力増幅モジュールの回路構成を概略的に示すブロック図である。
【図４】実施例のインピーダンスをシミュレートする回路構成を示すブロック図である。
【図５】比較例のインピーダンスをシミュレートする回路構成を示すブロック図である。
【図６】バンド５のシミュレーション結果を示すグラフである。
【図７】バンド１２のシミュレーション結果を示すグラフである。
【発明を実施するための形態】
【００１２】
以下、図面を参照しながら本発明の実施形態について説明する。但し、第２実施形態以降において、第１実施形態と同一または類似の構成要素は、第１実施形態と同一または類似の符号で表し、詳細な説明を適宜省略する。また、第２実施形態以降の実施形態において得られる効果について、第１実施形態と同様のものについては説明を適宜省略する。各実施形態の図面は例示であり、各部の寸法や形状は模式的なものであり、本願発明の技術的範囲を当該実施形態に限定して解するべきではない。
【００１３】
＜第１実施形態＞
まず、図１を参照しつつ、本発明の第１実施形態に係るマルチバンド対応電力増幅モジュール１００の構成について説明する。図１は、第１実施形態に係るマルチバンド対応電力増幅モジュール１００の回路構成を概略的に示すブロック図である。
【００１４】
マルチバンド対応電力増幅モジュール１００は、ＣＡ（Ｃａｒｒｉｅｒ  Ａｇｇｒｅｇａｔｉｏｎ）方式に対応した携帯電話などの移動通信端末において、送信信号の電力を基地局に送信するために必要なレベルまで増幅する高周波モジュールである。ここで、送信信号は、例えば、ＲＦＩＣ（Ｒａｄｉｏ  Ｆｒｅｑｕｅｎｃｙ  Ｉｎｔｅｇｒａｔｅｄ  Ｃｉｒｃｕｉｔ）等により所定の通信方式に応じて変調されたＲＦ（Ｒａｄｉｏ  Ｆｒｅｑｕｅｎｃｙ）信号である。
【００１５】
ＣＡ方式とは、複数の周波数帯域（バンド）を使用して、基地局との間で複数の送信信号および複数の受信信号を同時に授受する通信方式である。ＣＡ方式は、１つのバンドにおいて送受信を行う通信方式に比べて、通信速度や接続安定性を向上させることができる。マルチバンド対応電力増幅モジュール１００において使用されるバンドは特に限定されるものではなく、例えば、Ｅ−ＵＴＲＡ規格のバンド１（上り１９２０ＭＨｚ‐１９８０ＭＨｚ、下り２１００ＭＨｚ‐２１７０ＭＨｚ）、…、バンド２５５の中から適宜選択することができる。
【００１６】
マルチバンド対応電力増幅モジュール１００は、増幅する複数の送信信号として、同一バンド内の連続するコンポーネントキャリア（ＣＣ）を用いるＩｎｔｒａ−ｂａｎｄ  Ｃｏｎｔｉｇｕｏｕｓ  ＣＡ、同一バンド内の不連続なＣＣを用いるＩｎｔｒａ−ｂａｎｄ  Ｎｏｎ−ｃｏｎｔｉｇｕｏｕｓ  ＣＡ、異なるバンドの不連続なＣＣを用いるＩｎｔｅｒ−ｂａｎｄ  Ｎｏｎ−ｃｏｎｔｉｇｕｏｕｓ  ＣＡのいずれによるものであってもよい。
【００１７】
マルチバンド対応電力増幅モジュール１００は、使用するＣＣの数を限定されるものではなく、２つの上りＣＣを使用する２ＵＬ−ＣＡであってもよく、３つの上りＣＣを使用する３ＵＬ−ＣＡであってもよい。２ＵＬ−ＣＡとしては、例えば、バンド２（上り１８５０ＭＨｚ‐１９１０ＭＨｚ）とバンド１２（上り６９９ＭＨｚ‐７１６ＭＨｚ）の組み合わせ、バンド４（上り１７１０ＭＨｚ‐１７５５ＭＨｚ）とバンド１２の組み合わせ、バンド３（上り１７１０ＭＨｚ‐１７８５ＭＨｚ）とバンド４１（上り２４９６ＭＨｚ‐２６９０ＭＨｚ）の組み合わせ、バンド８（上り８８０ＭＨｚ‐９１５ＭＨｚ）とバンド４１の組み合わせ、などが用いられる。また、３ＵＬ−ＣＡとしては、例えば、バンド２とバンド１２とバンド３０の組み合わせ、バンド４とバンド１２とバンド３０の組み合わせ、などが用いられる。
【００１８】
マルチバンド対応電力増幅モジュール１００は、複数の送信入力端子ＩＮ１，ＩＮ２，…,ＩＮｈ、送信入力スイッチＳＷ１、複数の電力増幅回路ＰＡ１，ＰＡ２，…,ＰＡｉ、送信出力スイッチＳＷ２、第１チューニング回路ＴＮＧ１、複数のマルチプレクサ（フィルタ回路）ＭＰＸ１，ＭＰＸ２，…,ＭＰＸｊ、および複数の送信出力端子ＡＮＴ１，ＡＮＴ２，…,ＡＮＴｊを備える。マルチバンド対応電力増幅モジュール１００は、複数の送信信号ＴＸ１，ＴＸ２，…，ＴＸｊを増幅する。また、マルチバンド対応電力増幅モジュール１００は、受信信号を増幅するための構成（不図示）を備えており、複数の受信信号ＲＸ１，ＲＸ２，…，ＲＸｋを増幅することができる。なお、マルチバンド対応電力増幅モジュール１００は、受信信号の増幅は行わない構成であってもよい。
【００１９】
複数の送信入力端子ＩＮ１，ＩＮ２，…,ＩＮｈは、外部からマルチバンド対応電力増幅モジュール１００へと複数の送信信号ＴＸ１，ＴＸ２，…，ＴＸｊを入力するための端子である。例えば、送信信号ＴＸ１が送信入力端子ＩＮ１から入力され、送信信号ＴＸ２が送信入力端子ＩＮ２から入力される。図１に示した構成例ではｈは３以上の整数であり、マルチバンド対応電力増幅モジュール１００はｈ個の送信入力端子ＩＮ１，ＩＮ２，…,ＩＮｈを備える。また図１に示した構成例ではｊは３以上の整数であり、マルチバンド対応電力増幅モジュール１００はｊ個の送信信号ＴＸ１，ＴＸ２，…，ＴＸｊを増幅し、出力する。但し、マルチバンド対応電力増幅モジュール１００は、少なくとも２つの送信信号を増幅できればよく、送信信号の数ｊは２以上であればよい。複数の送信入力端子ＩＮ１，ＩＮ２，…,ＩＮｈから、それぞれＣＣの異なる複数の送信信号ＴＸ１，ＴＸ２，…，ＴＸｊを入力する場合、送信入力端子の数は送信信号の数と等しい。すなわち、ｈ＝ｊとなる。
【００２０】
なお、複数の送信信号が１つの送信入力端子から入力されてもよい。例えば、送信信号ＴＸ１，ＴＸ２が１つの送信入力端子ＩＮ１から入力されてもよい。したがって、マルチバンド対応電力増幅モジュール１００は、送信入力端子の数が送信信号の数よりも少なくてもよい。すなわちｈ＜ｊとなってもよい。マルチバンド対応電力増幅モジュール１００は、少なくとも１つの送信入力端子を備えればよい。すなわち、１≦ｈ≦ｊであればよい。
【００２１】
送信入力スイッチＳＷ１は、複数の送信入力端子ＩＮ１，ＩＮ２，…,ＩＮｈから入力される複数の送信信号ＴＸ１，ＴＸ２，…，ＴＸｊのそれぞれを、複数の電力増幅回路ＰＡ１，ＰＡ２，…,ＰＡｉの１つに出力する。マルチバンド対応電力増幅モジュール１００は、送信入力スイッチＳＷ１を備えることで、複数の送信信号ＴＸ１，ＴＸ２，…，ＴＸｊのそれぞれを、適した電力増幅回路へ選択的に入力することができる。マルチバンド対応電力増幅モジュール１００へ入力される複数の送信信号ＴＸ１，ＴＸ２，…，ＴＸｊのＣＣが変化したとしても、ＣＣの変化に応じて送信入力スイッチＳＷ１が経路を切り替えることができる。これによって、送信信号の増幅効率の低下を抑制することができる。なお、送信入力スイッチＳＷ１は省略されてもよい。すなわち、複数の電力増幅回路のそれぞれに、特定の送信入力端子が固定的に接続されてもよい。
【００２２】
送信入力スイッチＳＷ１は、複数の送信信号を１つの電力増幅回路に出力してもよく、複数の送信信号をそれぞれ異なる電力増幅回路に出力してもよい。例えば、送信入力スイッチＳＷ１は、送信信号ＴＸ１，ＴＸ２の互いのＣＣが近い場合または互いのＣＣが同じ場合には。送信信号ＴＸ１，ＴＸ２を電力増幅回路ＰＡ１に出力する。また、送信入力スイッチＳＷ１は、送信信号ＴＸ１，ＴＸ２の互いのＣＣが離れている場合には送信信号ＴＸ１を電力増幅回路ＰＡ１に出力し、送信信号ＴＸ２を電力増幅回路ＰＡ２に出力する。
【００２３】
複数の電力増幅回路ＰＡ１，ＰＡ２，…,ＰＡｉは、送信入力スイッチＳＷ１を通して入力される複数の送信信号ＴＸ１，ＴＸ２，…，ＴＸｊの電力を増幅して出力する。図１に示した例ではｉは３以上の整数であり、マルチバンド対応電力増幅モジュール１００はｉ個の電力増幅回路ＰＡ１，ＰＡ２，…,ＰＡｉを備える。
【００２４】
マルチバンド対応電力増幅モジュール１００は、複数の送信信号ＴＸ１，ＴＸ２，…，ＴＸｊを増幅できるのであれば電力増幅回路の数を限定されるものではない。例えば、送信信号ＴＸ１，ＴＸ２の互いのＣＣが近い場合には、１つの電力増幅回路ＰＡ１で送信信号ＴＸ１，ＴＸ２の両方を増幅可能である。このため、電力増幅回路の数ｉは、少なくとも１以上であり、送信入力端子の数ｈ以下であればよい。すなわち、１≦ｉ≦ｈであればよい。このように電力増幅回路の数ｉを減らすことができれば、マルチバンド対応電力増幅モジュール１００の小型化やコストダウンを図ることができる。
【００２５】
送信出力スイッチＳＷ２は、複数の電力増幅回路ＰＡ１，ＰＡ２，…,ＰＡｉから出力される複数の送信信号ＴＸ１，ＴＸ２，…，ＴＸｊのそれぞれを、複数のマルチプレクサＭＰＸ１，ＭＰＸ２，…,ＭＰＸｊに出力する。マルチバンド対応電力増幅モジュール１００は、送信出力スイッチＳＷ２を備えることで、複数の送信信号ＴＸ１，ＴＸ２，…，ＴＸｊのそれぞれを、適したマルチプレクサへ選択的に入力することができる。複数の電力増幅回路ＰＡ１，ＰＡ２，…,ＰＡｉのそれぞれから出力される複数の送信信号ＴＸ１，ＴＸ２，…，ＴＸｊのＣＣが変化したとしても、ＣＣの変化に応じて送信出力スイッチＳＷ２が経路を切り替えることができる。これによって、マルチプレクサによる送信信号の損失を低減することができる。
【００２６】
送信出力スイッチＳＷ２は、１つの電力増幅回路を複数のマルチプレクサへと接続してもよく、複数の電力増幅回路をそれぞれ異なるマルチプレクサへ接続してもよい。例えば、送信出力スイッチＳＷ２は、電力増幅回路ＰＡ１において送信信号ＴＸ１，ＴＸ２を増幅する場合に、電力増幅回路ＰＡ１からマルチプレクサＭＰＸ１に送信信号ＴＸ１を出力する第１経路と、電力増幅回路ＰＡ１からマルチプレクサＭＰＸ２に送信信号ＴＸ２を出力する第２経路とを同時に選択する。また、送信出力スイッチＳＷ２は、電力増幅回路ＰＡ１において送信信号ＴＸ１を増幅し且つ電力増幅回路ＰＡ２において送信信号ＴＸ２を増幅する場合においては、電力増幅回路ＰＡ１からマルチプレクサＭＰＸ１に送信信号ＴＸ１を出力する第１経路と、電力増幅回路ＰＡ２からマルチプレクサＭＰＸ２に送信信号ＴＸ２を出力する第３経路とを選択する。このため、マルチプレクサの数ｊよりも電力増幅回路の数ｉが小さくてもよい。このように電力増幅回路の数ｉを減らすことができれば、マルチバンド対応電力増幅モジュール１００の小型化およびコストダウンを図ることができる。
【００２７】
第１チューニング回路ＴＮＧ１は、複数の電力増幅回路ＰＡ１，ＰＡ２，…,ＰＡｉと、複数の送信出力端子ＡＮＴ１，ＡＮＴ２，…,ＡＮＴｊとの間のインピーダンスの整合状態を調整する。第１チューニング回路ＴＮＧ１は、送信出力スイッチＳＷ２と複数のマルチプレクサＭＰＸ１，ＭＰＸ２，…,ＭＰＸｊとの間に接続される。第１チューニング回路ＴＮＧ１は、例えば、ＤＴＣ（Ｄｉｇｉｔａｌｌｙ  Ｔｕｎａｂｌｅ  Ｃａｐａｃｉｔｏｒ）を備える。マルチバンド対応電力増幅モジュール１００は、第１チューニング回路ＴＮＧ１を備えることで、電力増幅回路の出力インピーダンスと負荷インピーダンスの整合状態の変化に起因した送信信号の増幅効率の低下を抑制することが可能となる。電力増幅回路とマルチプレクサとをつなぐ経路を選択可能な送信出力スイッチＳＷ２を備える構成である場合、送信出力スイッチＳＷ２によって選択される経路によって電力増幅回路の出力インピーダンスと負荷インピーダンスの整合状態が変化するとしても、第１チューニング回路ＴＮＧ１が適宜インピーダンスの整合を調整することができる。
【００２８】
一例として、送信出力スイッチＳＷ２が電力増幅回路ＰＡ１につながる経路として第１および第２経路を同時に選択した場合には、電力増幅回路ＰＡ１につながる経路として第１経路のみを選択した場合と比較して、インピーダンスの整合状態が変化する。例えば、電力増幅回路ＰＡ１につながる経路として第１経路のみを選択したときに電力増幅回路ＰＡ１の出力インピーダンスが負荷インピーダンスと整合するように回路設計されているとする。この場合、当該インピーダンスの整合状態の変化に基づいて第１チューニング回路ＴＮＧ１がインピーダンスの整合を調整することで、送信出力スイッチＳＷ２が第１および第２経路を同時に選択した場合における送信信号ＴＸ１の増幅効率の低下を抑制することができる。同様に第２経路においても、第１チューニング回路ＴＮＧ１がインピーダンスの整合を調整することで、送信信号ＴＸ２の増幅効率の低下を抑制することができる。
【００２９】
他の例として、マルチバンド対応電力増幅モジュール１００は、携帯通信端末と基地局との距離に応じて送信信号ＴＸ１の出力レベル、すなわち電力増幅回路ＰＡ１での送信信号ＴＸ１の倍率を変化させる。例えば、電力増幅回路ＰＡ１からマルチプレクサＭＰＸ１に出力される送信信号ＴＸ１が特定の出力レベルのときに、電力増幅回路ＰＡ１の出力インピーダンスが負荷インピーダンスと整合するように回路設計されているとする。この場合、送信信号ＴＸ１の出力レベルに応じて第１チューニング回路ＴＮＧ１がインピーダンスの整合状態を調整することで、送信信号ＴＸ１の増幅効率の低下を抑制することができる。
【００３０】
なお、第１チューニング回路ＴＮＧ１は、マルチバンド対応電力増幅モジュール１００において増幅される少なくとも２つの送信信号のうち、少なくとも１つの送信信号の増幅効率の低下を抑制可能であればよい。例えば、第１チューニング回路ＴＮＧ１は、少なくとも２つの送信信号のうち最も重要度の高い送信信号の増幅効率の低下抑制を優先し、その他の送信信号の増幅効率の低下を許容するものであってもよい。
【００３１】
第１チューニング回路ＴＮＧ１は、複数の電力増幅回路ＰＡ１，ＰＡ２，…,ＰＡｉと、送信出力スイッチＳＷ２との間に接続されてもよい。すなわち、複数の電力増幅回路ＰＡ１，ＰＡ２，…,ＰＡｉに第１チューニング回路ＴＮＧ１が接続され、第１チューニング回路ＴＮＧ１に送信出力スイッチＳＷ２が接続され、送信出力スイッチＳＷ２に複数のマルチプレクサＭＰＸ１，ＭＰＸ２，…,ＭＰＸｊが接続されてもよい。このような構成においても、送信出力スイッチＳＷ２によって選択される複数の送信信号ＴＸ１，ＴＸ２，…，ＴＸｊの経路に応じて、インピーダンスの整合状態を調整することができる。
【００３２】
複数のマルチプレクサＭＰＸ１，ＭＰＸ２，…,ＭＰＸｊは、それぞれ、互いに異なるＣＣの送信信号を通過させるフィルタ回路に相当する。マルチプレクサはデュプレクサであってもよい。マルチバンド対応電力増幅モジュール１００は、互いに異なるＣＣの少なくとも２つの送信信号を増幅し出力するために、少なくとも２つのマルチプレクサを備える。例えば、マルチプレクサＭＰＸ１は、送信信号ＴＸ１を通過させ、送信信号ＴＸ２を遮断する。マルチプレクサＭＰＸ２は、送信信号ＴＸ１を遮断し、送信信号ＴＸ２を通過させる。図１に示した例ではｊは３以上の整数であり、マルチバンド対応電力増幅モジュール１００はｊ個のマルチプレクサＭＰＸ１，ＭＰＸ２，…,ＭＰＸｊを備える。
【００３３】
複数の送信出力端子ＡＮＴ１、ＡＮＴ２，…,ＡＮＴｊは、それぞれ複数のマルチプレクサＭＰＸ１，ＭＰＸ２，…,ＭＰＸｊにつながり、複数の送信信号ＴＸ１，ＴＸ２，…，ＴＸｊを出力する。複数の送信出力端子ＡＮＴ１、ＡＮＴ２，…,ＡＮＴｊは、外部のアンテナに接続されている。例えば、送信出力端子ＡＮＴ１はマルチプレクサＭＰＸ１から出力される送信信号ＴＸ１を出力し、送信出力端子ＡＮＴ２はマルチプレクサＭＰＸ２から出力される送信信号ＴＸ２を出力する。複数の送信出力端子ＡＮＴ１、ＡＮＴ２，ＡＮＴｊは、複数の受信信号ＲＸ１，ＲＸ２，…，ＲＸｋを、複数のマルチプレクサＭＰＸ１，ＭＰＸ２，…,ＭＰＸｊへ入力可能である。
【００３４】
以下に、他の実施形態について説明する。以下のそれぞれの実施形態では、上記の第１実施形態と共通の事柄については記述を省略し、異なる点についてのみ説明する。第１実施形態と同様の符号が付された構成は、第１実施形態における構成と同様の構成および機能を有するものとし、詳細な説明を省略する。同様の構成による同様の作用効果については言及しない。
【００３５】
＜第２実施形態＞
次に、図２を参照しつつ、本発明の第２実施形態に係るマルチバンド対応電力増幅モジュール２００の構成について説明する。図２は、第２実施形態に係るマルチバンド対応電力増幅モジュールの回路構成を概略的に示すブロック図である。
【００３６】
マルチバンド対応電力増幅モジュール２００は、複数の送信入力端子ＩＮ１，ＩＮ２，…,ＩＮｈ、送信入力スイッチＳＷ１、複数の電力増幅回路ＰＡ１，ＰＡ２，…,ＰＡｉ、送信出力スイッチＳＷ２、第１チューニング回路ＴＮＧ１、複数のマルチプレクサＭＰＸ１，ＭＰＸ２，…,ＭＰＸｊ、および複数の送信出力端子ＡＮＴ１，…,ＡＮＴｐを備える。
【００３７】
マルチバンド対応電力増幅モジュール２００は、アンテナスイッチＳＷ３をさらに備える。アンテナスイッチＳＷ３は、複数のマルチプレクサＭＰＸ１，ＭＰＸ２，…,ＭＰＸｊと、複数の送信出力端子ＡＮＴ１，…,ＡＮＴｐとの間の経路を切り替える。図２に示した構成例においては、ｐは２以上の整数であり、マルチバンド対応電力増幅モジュール２００は、ｐ個の送信出力端子ＡＮＴ１，…,ＡＮＴｐを備える。但し、マルチバンド対応電力増幅モジュール２００に備えられる送信出力端子は少なくとも１つでよい。すなわち、１≦ｐ≦ｊであればよい。
【００３８】
一例として、マルチプレクサＭＰＸ１から出力される送信信号ＴＸ１とマルチプレクサＭＰＸ２から出力される送信信号ＴＸ２とのＣＣの周波数が近い場合には、アンテナスイッチＳＷ３は、送信信号ＴＸ１，ＴＸ２を１つの送信出力端子ＡＮＴ１に出力し、外部の同じアンテナから発信することができる。これによれば、送信出力端子の数ｐを減らすことができる。
【００３９】
＜第３実施形態＞
次に、図３を参照しつつ、本発明の第３実施形態に係るマルチバンド対応電力増幅モジュール３００の構成について説明する。図３は、第３実施形態に係るマルチバンド対応電力増幅モジュールの回路構成を概略的に示すブロック図である。
【００４０】
マルチバンド対応電力増幅モジュール２００は、複数の送信入力端子ＩＮ１，ＩＮ２，…,ＩＮｈ、送信入力スイッチＳＷ１、複数の電力増幅回路ＰＡ１，ＰＡ２，…,ＰＡｉ、送信出力スイッチＳＷ２、第１チューニング回路ＴＮＧ１、複数のマルチプレクサＭＰＸ１，ＭＰＸ２，…,ＭＰＸｊ、アンテナスイッチＳＷ３、および複数の送信出力端子ＡＮＴ１，…,ＡＮＴｐを備える。
【００４１】
マルチバンド対応電力増幅モジュール３００は、受信入力スイッチＳＷ４、第２チューニング回路ＴＮＧ２、複数の低ノイズ増幅回路ＬＮＡ１，ＬＮＡ２，…，ＬＮＡｍ、および複数の受信出力端子ＯＵＴ１，ＯＵＴ２，…，ＯＵＴｎをさらに備える。
【００４２】
受信入力スイッチＳＷ４は、複数のマルチプレクサＭＰＸ１，ＭＰＸ２，…,ＭＰＸｊを通して複数の送信出力端子ＡＮＴ１，…,ＡＮＴｐから入力された複数の受信信号ＲＸ１，ＲＸ２，…, ＲＸｋのそれぞれを、複数の低ノイズ増幅回路ＬＮＡ１，ＬＮＡ２，…，ＬＮＡｍの１つに出力する。マルチバンド対応電力増幅モジュール３００は、受信入力スイッチＳＷ４を備えることで、複数の受信信号ＲＸ１，ＲＸ２，…，ＲＸｋのそれぞれを、適した電力増幅回路へ選択的に入力することができる。マルチバンド対応電力増幅モジュール３００へ入力される複数の受信信号ＲＸ１，ＲＸ２，…，ＲＸｋのＣＣが変化したとしても、ＣＣの変化に応じて受信入力スイッチＳＷ４が経路を切り替えることができる。これによって、受信信号の増幅効率の低下を抑制することができる。なお、受信入力スイッチＳＷ４は省略されてもよい。すなわち、複数の電力増幅回路のそれぞれに、特定のマルチプレクサが固定的に接続されてもよい。
【００４３】
受信入力スイッチＳＷ４は、２つ以上の受信信号を１つの低ノイズ増幅回路に入力してもよく、２つ以上の受信信号のそれぞれを互いに異なる低ノイズ増幅回路に入力してもよい。例えば、受信入力スイッチＳＷ４は、受信信号ＲＸ１，ＲＸ２のそれぞれのＣＣの周波数が近い場合または互いのＣＣのバンドが同じ場合には、受信信号ＲＸ１，ＲＸ２を低ノイズ増幅回路ＬＮＡ１に出力する。また、受信入力スイッチＳＷ４は、受信信号ＲＸ１，ＲＸ２のそれぞれのＣＣが離れている場合には、受信信号ＲＸ１を低ノイズ増幅回路ＬＮＡ１に入力し、受信信号ＲＸ２を低ノイズ増幅回路ＬＮＡ２に出力する。
【００４４】
第２チューニング回路ＴＮＧ２は、複数のマルチプレクサＭＰＸ１，ＭＰＸ２，…,ＭＰＸｊと複数の低ノイズ増幅回路ＬＮＡ１，ＬＮＡ２，…，ＬＮＡｍとの間のインピーダンス整合状態を調整する。第２チューニング回路ＴＮＧ２は、受信入力スイッチＳＷ４と複数の低ノイズ増幅回路ＬＮＡ１，ＬＮＡ２，…，ＬＮＡｍとの間に接続されている。マルチバンド対応電力増幅モジュール３００は、第２チューニング回路ＴＮＧ２を備えることで、低ノイズ増幅回路の出力インピーダンスと負荷インピーダンスの整合状態の変化に起因した受信信号の増幅効率の低下を抑制することが可能となる。例えば、マルチプレクサと低ノイズ増幅回路との間をつなぐ経路を選択可能な受信入力スイッチＳＷ４を備える構成である場合、受信入力スイッチＳＷ４によって選択される経路によってマルチプレクサと低ノイズ増幅回路との間のインピーダンス整合が変化するとしても、第２チューニング回路ＴＮＧ２が適宜インピーダンスの整合を調整することができる。
【００４５】
一例として、受信入力スイッチＳＷ４が低ノイズ増幅回路ＬＮＡ１にマルチプレクサＭＰＸ１，ＭＰＸ２を同時に接続する場合には、低ノイズ増幅回路ＬＮＡ１にマルチプレクサＭＰＸ１のみを接続する場合と比較して、インピーダンスの整合状態が変化する。低ノイズ増幅回路ＬＮＡ１にマルチプレクサＭＰＸ１のみが接続されたときに低ノイズ増幅回路ＬＮＡ１の出力インピーダンスが負荷インピーダンスと整合するように回路設計されているとする。この場合、当該インピーダンスの整合状態の変化に基づいて第２チューニング回路ＴＮＧ２がインピーダンスの整合を調整することで、低ノイズ増幅回路ＬＮＡ１にマルチプレクサＭＰＸ１，ＭＰＸ２の両方が接続された場合における受信信号ＲＸ１の増幅効率の低下を抑制することができる。
【００４６】
なお、第２チューニング回路ＴＮＧ２は、複数のマルチプレクサＭＰＸ１，ＭＰＸ２，…，ＭＰＸｊと受信入力スイッチＳＷ４との間に接続されてもよい。すなわち、複数のマルチプレクサＭＰＸ１，ＭＰＸ２，…，ＭＰＸｊに第２チューニング回路ＴＮＧ２が接続され、第２チューニング回路ＴＮＧ２に受信入力スイッチＳＷ４が接続され、受信入力スイッチＳＷ４に複数の低ノイズ増幅回路ＬＮＡ１，ＬＮＡ２，…，ＬＮＡｍが接続されてもよい。このような構成においても、受信入力スイッチＳＷ４によって選択される複数の受信信号ＲＸ１，ＲＸ２，…，ＲＸｊの経路に応じて、インピーダンスの整合状態を調整することができる。
【００４７】
複数の低ノイズ増幅回路ＬＮＡ１，ＬＮＡ２，…，ＬＮＡｍは、複数の受信信号ＲＸ１，ＲＸ２，…, ＲＸｋのそれぞれを増幅し出力する。図３に示した例ではｍは３以上の整数であり、マルチバンド対応電力増幅モジュール３００はｍ個の低ノイズ増幅回路ＬＮＡ１，ＬＮＡ２，…，ＬＮＡｍを備える。図３に示した構成例において低ノイズ増幅回路の数ｍは３以上の整数であり、受信信号の数ｋと同数である。すなわち、ｍ＝ｋである。但し、マルチバンド対応電力増幅モジュール３００は、少なくとも１つの低ノイズ増幅回路を備えていればよく、複数の受信信号を１つの低ノイズ増幅回路で増幅してもよいため、１≦ｍ≦ｋであればよい。
【００４８】
複数の受信出力端子ＯＵＴ１，ＯＵＴ２，…，ＯＵＴｎは、複数の低ノイズ増幅回路ＬＮＡ１，ＬＮＡ２，…，ＬＮＡｍで増幅された複数の受信信号ＲＸ１，ＲＸ２，…, ＲＸｋのそれぞれを出力する端子である。複数の受信出力端子ＯＵＴ１，ＯＵＴ２，…，ＯＵＴｎは、複数の低ノイズ増幅回路ＬＮＡ１，ＬＮＡ２，…，ＬＮＡｍに接続されている。図３に示した構成例では受信出力端子の数ｎは３以上であり、低ノイズ増幅回路の数ｍと同数である。すなわち、ｎ＝ｍである。但し、マルチバンド対応電力増幅モジュール３００は、少なくとも１つの受信出力端子を備えていればよく、１≦ｍ≦ｋであればよい。
【００４９】
＜シミュレーション評価＞
次に、図４〜図７を参照しつつ、各々の実施形態に係るマルチバンド対応電力増幅モジュール１００，２００，３００で得られる効果についてのシミュレーション評価について説明する。図４は、実施例の回路構成を示すブロック図である。図５は、比較例の回路構成を示すブロック図である。図６は、バンド５のシミュレーション結果を示すグラフである。図７は、バンド１２のシミュレーション結果を示すグラフである。
【００５０】
図４に示すように、実施例の回路は、送信入力端子ＩＮと、電力増幅回路ＰＡと、送信出力スイッチＳＷと、チューニング回路ＴＮＧと、２つのマルチプレクサＭＰＸ−Ｂ５およびＭＰＸ−Ｂ１２と、２つの送信出力端子ＡＮＴ−Ｂ５およびＡＮＴ−Ｂ１２とを備える。送信出力スイッチＳＷは、電力増幅回路ＰＡとマルチプレクサＭＰＸ−Ｂ５とをつなぐと共に、電力増幅回路ＰＡとマルチプレクサＭＰＸ−Ｂ１２とをつなぐ。本回路において、バンド５（上り８２４ＭＨｚ−８４９ＭＨｚ）の送信信号ＴＸ−Ｂ５と、バンド１２（上り６９９ＭＨｚ−７１６ＭＨｚ）の送信信号ＴＸ−Ｂ１２と、が同時に送信入力端子ＩＮから入力される。送信信号ＴＸ−Ｂ５は、マルチプレクサＭＰＸ−Ｂ５を通過し、送信出力端子ＡＮＴ−Ｂ５から出力される。送信信号ＴＸ−Ｂ１２は、マルチプレクサＭＰＸ−Ｂ１２を通過し、送信出力端子ＡＮＴ−Ｂ１２から出力される。
【００５１】
図５に示すように、比較例は、実施例からチューニング回路ＴＮＧを省いた構成である。比較例でも、バンド５の送信信号ＴＸ−Ｂ５と、バンド１２の送信信号ＴＸ−Ｂ１２と、が同時に送信入力端子ＩＮから入力される。なお、電力増幅回路ＰＡとマルチプレクサＭＰＸ−Ｂ５との間の経路では、マルチプレクサＭＰＸ−Ｂ５が単独で電力増幅回路ＰＡにチューニング回路を介さずに接続されたときに、電力増幅回路ＰＡの出力インピーダンスが負荷インピーダンスに整合するように設定される。また、電力増幅回路ＰＡとマルチプレクサＭＰＸ−Ｂ１２との間の経路では、マルチプレクサＭＰＸ−Ｂ１２が単独でチューニング回路を介さずに電力増幅回路ＰＡに接続されたときに、電力増幅回路ＰＡの出力インピーダンスが負荷インピーダンスに整合するように設定される。
【００５２】
マルチプレクサＭＰＸ−Ｂ５が単独でチューニング回路を介さずに電力増幅回路ＰＡに接続された場合のＳパラメータを基準とし、実施例および比較例のそれぞれにおける送信出力端子ＡＮＴ−Ｂ５側のＳパラメータをシミュレートした。同様に、マルチプレクサＭＰＸ−Ｂ１２が単独でチューニング回路を介さずに電力増幅回路ＰＡに接続された場合のＳパラメータを基準とし、実施例および比較例のそれぞれにおける送信出力端子ＡＮＴ−Ｂ１２側のＳパラメータをシミュレートした。
【００５３】
図６に示すように、実施例における送信出力端子ＡＮＴ−Ｂ５側のＳパラメータは、比較例における送信出力端子ＡＮＴ−Ｂ５側のＳパラメータに比べて改善している。図７に示すように、実施例における送信出力端子ＡＮＴ−Ｂ１２側のＳパラメータは、比較例における送信出力端子ＡＮＴ−Ｂ１２側のＳパラメータに比べて改善している。
【００５４】
以上のように、本発明の一態様によれば、少なくとも１つの送信入力端子と、少なくとも１つの送信入力端子から第１および第２送信信号が入力される少なくとも１つの電力増幅回路と、第１送信信号を通過させる第１フィルタ回路と、第２送信信号を通過させる第２フィルタ回路と、第１および第２フィルタ回路から出力される第１および第２送信信号を出力する少なくとも１つの送信出力端子と、少なくとも１つの電力増幅回路から出力される第１および第２送信信号のそれぞれを、第１または第２フィルタ回路に出力する送信出力スイッチと、少なくとも１つの電力増幅回路と少なくとも１つの送信出力端子との間のインピーダンス整合を調整する第１チューニング回路とを備えるマルチバンド対応電力増幅モジュール、が提供される。
【００５５】
上記態様によれば、チューニング回路によって、電力増幅回路の出力インピーダンスと負荷インピーダンスの整合状態の変化に起因した送信信号の増幅効率の低下を抑制することが可能となる。また、送信出力スイッチによって、複数の送信信号のそれぞれを、適したフィルタ回路へ選択的に入力することができる。複数の電力増幅回路のそれぞれから出力される複数の送信信号のＣＣが変化したとしても、ＣＣの変化に応じて送信出力スイッチが経路を切り替えることができる。これによって、各々の送信信号を最適なフィルタ回路へと出力することができ、送信信号の損失を低減することができる。また、送信出力スイッチによって選択される経路によって電力増幅回路の出力インピーダンスと負荷インピーダンスの整合状態が変化するとしても、チューニング回路が適宜インピーダンスの整合を調整することができる。送信出力スイッチが送信信号を振り分けることができるため、電力増幅回路の数をフィルタ回路の数よりも小さくすることができる。これによれば、マルチバンド対応電力増幅の小型化およびコストダウンを図ることができる。
【００５６】
少なくとも１つの送信入力端子から入力される第１および第２送信信号のそれぞれを、少なくとも１つの電力増幅回路の１つに出力する送信入力スイッチをさらに備えてもよい。これによれば、複数の送信信号のそれぞれを、適した電力増幅回路へ選択的に入力することができる。マルチバンド対応電力増幅モジュールへ入力される複数の送信信号のＣＣが変化したとしても、ＣＣの変化に応じて送信入力スイッチが経路を切り替えることができる。これによって、送信信号の増幅効率の低下を抑制することができる。また、送信入力スイッチが送信信号を振り分けることができるため、電力増幅回路の数を送信入力端子の数よりも小さくすることができる。これによれば、マルチバンド対応電力増幅の小型化およびコストダウンを図ることができる。
【００５７】
少なくとも１つの電力増幅回路は、第１および第２送信信号の両方を増幅可能な第１電力増幅回路を有し、送信出力スイッチは、第１電力増幅回路から第１フィルタ回路に第１送信信号を出力するための第１経路と、第１電力増幅回路から第２フィルタ回路に第２送信信号を出力するための第２経路とを同時に選択してもよい。これによれば、電力増幅回路の数をフィルタ回路の数よりも小さくすることができる。また、マルチバンド対応電力増幅モジュールの小型化およびコストダウンを図ることができる。
【００５８】
第１チューニング回路は、送信出力スイッチが第１経路のみを選択した場合と、送信出力スイッチが第１および第２経路の両方を選択した場合と、のそれぞれにおけるインピーダンスの整合状態の変化に基づいて、インピーダンスを調整してもよい。これによれば、送信出力スイッチによって１つの電力増幅回路に複数のフィルタ回路が繋がれたとしても、電力増幅回路における送信信号の増幅効率の低下を抑制することができる。
【００５９】
第１チューニング回路は、送信出力スイッチと第１および第２フィルタ回路との間に接続されてもよい。
【００６０】
本発明の他の一態様によれば、第１および第２送信信号が入力される少なくとも１つの送信入力端子と、少なくとも１つの送信入力端子から第１および第２送信信号が入力される少なくとも１つの電力増幅回路と、第１送信信号を通過させる第１フィルタ回路と、第２送信信号を通過させる第２フィルタ回路と、第１および第２フィルタ回路から出力される第１および第２送信信号を出力する少なくとも１つの送信出力端子と、少なくとも１つの送信入力端子から入力される第１および第２送信信号のそれぞれを、少なくとも１つの電力増幅回路の１つに出力する送信入力スイッチと、少なくとも１つの電力増幅回路と少なくとも１つの送信出力端子との間のインピーダンス整合を調整する第１チューニング回路と、を備える、マルチバンド対応電力増幅モジュールが提供される。
【００６１】
上記態様によれば、チューニング回路によって、電力増幅回路の出力インピーダンスと負荷インピーダンスの整合状態の変化に起因した送信信号の増幅効率の低下を抑制することが可能となる。送信入力スイッチは、複数の送信信号のそれぞれを、適した電力増幅回路へ選択的に入力することができる。マルチバンド対応電力増幅モジュールへ入力される複数の送信信号のＣＣが変化したとしても、ＣＣの変化に応じて送信入力スイッチが経路を切り替えることができる。これによって、送信信号の増幅効率の低下を抑制することができる。また、送信入力スイッチが送信信号を振り分けることができるため、電力増幅回路の数を送信入力端子の数よりも小さくすることができる。これによれば、マルチバンド対応電力増幅の小型化およびコストダウンを図ることができる。
【００６２】
第１チューニング回路は、少なくとも１つの電力増幅回路における第１および第２送信信号の少なくとも一方の出力レベルに応じて、インピーダンスの整合状態を調整してもよい。出力レベルの変化によって、電力増幅回路の出力インピーダンスと負荷インピーダンスの整合状態が変化したとしても、チューニング回路によってインピーダンスの整合状態を補正することができる。すなわち、マルチバンド電力増幅モジュールにおける、出力レベルに起因した送信信号の増幅効率の低下を抑制することができる。例えば、マルチバンド対応電力増幅モジュールを備える機器と通信する複数の基地局との距離がそれぞれ異なる場合など、第１および第２送信信号の出力レベルを調整する場合であっても、第１および第２送信信号の少なくとも一方の増幅効率の低下を抑制することができる。
【００６３】
第１および第２送信信号は、同じ周波数帯域に含まれてもよい。つまり、マルチバンド対応電力増幅モジュールが、Ｉｎｔｒａ−ｂａｎｄ  Ｃｏｎｔｉｇｕｏｕｓ  ＣＡ方式またはＩｎｔｒａ−ｂａｎｄ  Ｎｏｎ−ｃｏｎｔｉｇｕｏｕｓ  ＣＡ方式に対応して、複数の送信信号を増幅するものであってもよい。
【００６４】
第１および第２送信信号は、互いに異なる周波数帯域に含まれてもよい。つまり、マルチバンド対応電力増幅モジュールが、Ｉｎｔｅｒ−ｂａｎｄ  Ｎｏｎ−ｃｏｎｔｉｇｕｏｕｓ  ＣＡ方式に対応して、複数の送信信号を増幅するものであってもよい。
【００６５】
第１および第２フィルタ回路と少なくとも１つの送信出力端子との間の経路を切り替えるアンテナスイッチをさらに備えてもよい。これによれば、第１および第２送信信号を１つの送信出力端子に出力し、外部の同じアンテナから発信することができる。つまり、送信出力端子の数を減らすことができる。
【００６６】
少なくとも１つの低ノイズ増幅回路と、第１フィルタ回路から出力される第１受信信号および第２フィルタ回路から出力される第２受信信号のそれぞれを、少なくとも１つの低ノイズ増幅回路の１つに出力する受信入力スイッチと、第１および第２フィルタ回路と少なくとも１つの低ノイズ増幅回路との間のインピーダンス整合を調整する第２チューニング回路とをさらに備えてもよい。
【００６７】
これによれば、受信入力スイッチによって、複数の受信信号のそれぞれを、適した低ノイズ増幅回路へ選択的に入力することができる。マルチバンド対応電力増幅モジュールへ入力される複数の受信信号のＣＣが変化したとしても、ＣＣの変化に応じて受信入力スイッチが受信信号を入力する低ノイズ増幅回路を切り替えることができる。これによって、受信信号の増幅効率の低下を抑制することができる。また、チューニング回路によって、低ノイズ増幅回路の出力インピーダンスと負荷インピーダンスの整合状態の変化に起因した受信信号の増幅効率の低下を抑制することが可能となる。また、フィルタ回路と低ノイズ増幅回路との間をつなぐ経路を選択可能な受信入力スイッチを備える構成である場合、インピーダンスの整合状態の変化に基づいて第２チューニング回路がインピーダンスの整合を調整することで、第１低ノイズ増幅回路に第１および第２マルチプレクサの両方が接続された場合における第１受信信号の増幅効率の低下を抑制することができる。
【００６８】
第２チューニング回路は、受信入力スイッチと少なくとも１つの低ノイズ増幅回路との間に接続されてもよい。
【００６９】
以上説明したように、本発明の一態様によれば、送信信号の増幅効率の改善を図ることができるマルチバンド対応電力増幅モジュールを提供することが可能となる。
【００７０】
なお、以上説明した各実施形態は、本発明の理解を容易にするためのものであり、本発明を限定して解釈するためのものではない。本発明は、その趣旨を逸脱することなく、変更／改良され得るととともに、本発明にはその等価物も含まれる。即ち、各実施形態に当業者が適宜設計変更を加えたものも、本発明の特徴を備えている限り、本発明の範囲に包含される。例えば、各実施形態が備える各要素及びその配置、材料、条件、形状、サイズなどは、例示したものに限定されるわけではなく適宜変更することができる。また、各実施形態は例示であり、異なる実施形態で示した構成の部分的な置換または組み合わせが可能であることは言うまでもなく、これらも本発明の特徴を含む限り本発明の範囲に包含される。
【符号の説明】
【００７１】
１００…マルチバンド対応電力増幅モジュール
ＴＸ１，ＴＸ２，…，ＴＸｊ…送信信号
ＩＮ１，ＩＮ２，…，ＩＮｈ…送信入力端子
ＳＷ１…送信入力スイッチ
ＰＡ１，ＰＡ２，…，ＰＡｉ…電力増幅回路
ＳＷ２…送信出力スイッチ
ＴＮＧ１…第１チューニング回路
ＭＰＸ１，ＭＰＸ２，…，ＭＰＸｊ…マルチプレクサ（フィルタ回路）
ＳＷ３…アンテナスイッチ
ＡＮＴ１，ＡＮＴ２，…，ＡＮＴｊ，ＡＮＴｐ…送信出力端子
ＲＸ１，ＲＸ２，…，ＲＸｊ…送信信号
ＳＷ４…受信入力スイッチ
ＴＮＧ２…第２チューニング回路
ＬＮＡ１，ＬＮＡ２，…，ＬＮＡｍ…低ノイズ増幅回路
ＯＵＴ１，ＯＵ２，…，ＯＵＴｎ…受信出力端子
【図１】
2018196104.tif 000003
【図２】
2018196104.tif 000004
【図３】
2018196104.tif 000005
【図４】
2018196104.tif 000006
【図５】
2018196104.tif 000007
【図６】
2018196104.tif 000008
【図７】
2018196104.tif 000009